(57)【要約】【課題】モップの装着板にモップ用払拭具を容易かつ迅速に装着できるようにすること。【解決手段】本考案では、モップの柄の先端に取付けた装着板に着脱自在に装着するモップ用払拭具において、モップ用払拭具の裏面に装着板の左右端部を収容する左右一対の袋状の装着部を形成するとともに、少なくともいずれか一方の装着部の開口を伸縮自在に形成することにした。また、前記伸縮自在に形成した装着部の開口は、伸張時の長さが装着部の内側に収容される装着板の外周よりも短くした。また、前記伸縮自在に形成した装着部の開口は、収縮時の長さが装着部の内側に収容される装着板の幅よりも長くした。【選択図】図１
0003125155.tif 000002
【実用新案登録請求の範囲】
【請求項１】
モップの柄の先端に取付けた装着板に着脱自在に装着するモップ用払拭具において、
モップ用払拭具の裏面に装着板の左右端部を収容する左右一対の袋状の装着部を形成するとともに、少なくともいずれか一方の装着部の開口を伸縮自在に形成したことを特徴とするモップ用払拭具。
【請求項２】
前記伸縮自在に形成した装着部の開口は、伸張時の長さが装着部の内側に収容される装着板の外周よりも短いことを特徴とする請求項１に記載のモップ用払拭具。
【請求項３】
前記伸縮自在に形成した装着部の開口は、収縮時の長さが装着部の内側に収容される装着板の幅よりも長いことを特徴とする請求項１又は請求項２に記載のモップ用払拭具。
【請求項４】
モップの柄の先端に取付けた装着板に着脱自在に装着するモップ用払拭具において、
モップ用払拭具の裏面に装着板の左右端部を収容する左右一対の袋状の装着部を形成するとともに、両方の装着部の開口を伸縮自在に形成し、この伸縮自在に形成した装着部の開口は、伸張時の長さが装着部の内側に収容される装着板の外周よりも短く、かつ、収縮時の長さが装着部の内側に収容される装着板の幅よりも長いことを特徴とするモップ用払拭具。
【考案の詳細な説明】
【技術分野】
【０００１】
本考案は、モップの柄の先端に取付けた装着板に着脱自在に装着するモップ用払拭具に関するものである。
【背景技術】
【０００２】
従来より、清掃用具としてモップが広く利用されている。このモップは、棒状の柄の先端に横長矩形板状の装着板を自在継手を介して取付けるとともに、太糸状の払拭体を植設したモップ用払拭具を装着板に着脱自在に装着できるように構成したものが知られている（たとえば、特許文献１参照。）。
【０００３】
このような従来のモップにおいて、図３に開示したモップ101が市販されている。この市販されているモップ101では、棒状の柄102の先端に横長矩形板状の装着板103を自在継手104を介して取付け、この装着板103にモップ用払拭具105を着脱自在に装着している。
【０００４】
そして、従来のモップ用払拭具105では、装着板103と略同一平面形状のベース布106の表面に多数本の太糸状の払拭体107を植設するとともに、ベース布106の裏面の左右端部にモップ用払拭具105を装着板103に装着するための装着部108,109をそれぞれ形成している。
【０００５】
しかも、従来のモップ用払拭具105では、ベース布106の左側端部にカバー布110をベース布106の外周端縁に沿って縫合することによって左側の装着部108を袋状に形成する一方、ベース布106の右側端部に前後一対のカバー布111,112を前後に間隔をあけた状態でベース布106の外周端縁に沿って縫合することによって右側の装着部109を前後開閉可能に形成するとともに、各カバー布111,112の内側端部に結合紐113,114を取付け、この結合紐113,114を結ぶことで装着部109を閉塞するようにしている。
【０００６】
【特許文献１】特開２００５−１５２３３４号公報
【考案の開示】
【考案が解決しようとする課題】
【０００７】
ところが、上記従来のモップ用払拭具105では、装着板103に装着する際に、袋状の左側の装着部108に装着板103の左側端部を挿入した後に、右側の装着部109の前後のカバー布111,112を前後に開き、装着板103の右側端部をベース布106の右側端部に載置し、その後、前後のカバー布111,112を装着板103の右側端部に載置し、結合紐113,114を結びつける必要があった。
【０００８】
そのため、上記従来のモップ用払拭具105では、装着板103への装着作業が煩雑で、清掃途中でモップ用払拭具105を迅速に交換することが困難であった。
【０００９】
特に、清掃途中では、ビニール手袋や軍手などの手袋をした状態のままで作業していることが多く、手袋をした状態で上記の煩雑な装着作業を行うことは極めて困難であった。
【００１０】
しかも、上記従来のモップ用払拭具105では、清掃途中で結合紐113,114が解けてしまい、装着板103からモップ用払拭具105が脱落してしまうおそれもあった。
【課題を解決するための手段】
【００１１】
そこで、請求項１に係る本考案では、モップの柄の先端に取付けた装着板に着脱自在に装着するモップ用払拭具において、モップ用払拭具の裏面に装着板の左右端部を収容する左右一対の袋状の装着部を形成するとともに、少なくともいずれか一方の装着部の開口を伸縮自在に形成することにした。
【００１２】
また、請求項２に係る本考案では、前記請求項１に係る本考案において、前記伸縮自在に形成した装着部の開口は、伸張時の長さが装着部の内側に収容される装着板の外周よりも短くすることにした。
【００１３】
また、請求項３に係る本考案では、前記請求項１又は請求項２に係る本考案において、前記伸縮自在に形成した装着部の開口は、収縮時の長さが装着部の内側に収容される装着板の幅よりも長くすることにした。
【００１４】
また、請求項４に係る本考案では、モップの柄の先端に取付けた装着板に着脱自在に装着するモップ用払拭具において、モップ用払拭具の裏面に装着板の左右端部を収容する左右一対の袋状の装着部を形成するとともに、両方の装着部の開口を伸縮自在に形成し、この伸縮自在に形成した装着部の開口は、伸張時の長さが装着部の内側に収容される装着板の外周よりも短く、かつ、収縮時の長さが装着部の内側に収容される装着板の幅よりも長くすることにした。
【考案の効果】
【００１５】
そして、本考案では、以下に記載する効果を奏する。
【００１６】
すなわち、請求項１に係る本考案では、モップの柄の先端に取付けた装着板に着脱自在に装着するモップ用払拭具において、モップ用払拭具の裏面に装着板の左右端部を収容する左右一対の袋状の装着部を形成するとともに、少なくともいずれか一方の装着部の開口を伸縮自在に形成しているために、モップ用払拭具を装着板に容易かつ迅速に装着することができる。
【００１７】
また、請求項２に係る本考案では、伸縮自在に形成した装着部の開口の伸張時の長さが装着部の内側に収容される装着板の外周よりも短くしているために、装着部の開口の伸縮性が損なわれて装着部の開口が伸張したままの状態となっても装着部からモップ用払拭具が脱落してしまうのを防止することができる。
【００１８】
また、請求項３に係る本考案では、伸縮自在に形成した装着部の開口の収縮時の長さが装着部の内側に収容される装着板の幅よりも長くしているために、モップ用払拭具を装着板から取外しても装着部の開口の伸縮性によってモップ用払拭具が反り返った状態とならず、モップ用払拭具を正規の平面的な形態に保持することができる。
【００１９】
また、請求項４に係る本考案では、モップの柄の先端に取付けた装着板に着脱自在に装着するモップ用払拭具において、モップ用払拭具の裏面に装着板の左右端部を収容する左右一対の袋状の装着部を形成するとともに、両方の装着部の開口を伸縮自在に形成し、この伸縮自在に形成した装着部の開口は、伸張時の長さが装着部の内側に収容される装着板の外周よりも短く、かつ、収縮時の長さが装着部の内側に収容される装着板の幅よりも長くしているために、上記請求項１〜請求項３に係る本考案の効果に加えて、装着板にモップ用払拭具を左右均等の力で良好に装着された状態に保持することができる。
【考案を実施するための最良の形態】
【００２０】
以下に、本考案に係るモップ用払拭具の具体的な構成について図面を参照しながら説明する。
【００２１】
図１に示すように、モップ用払拭具１は、モップ本体２に着脱自在に装着されてモップ３を構成するものである。
【００２２】
モップ本体２は、棒状の柄４の先端に横長矩形板状の装着板５を自在継手６を介して前後及び左右に遥動可能に取付けており、装着板５にモップ用払拭具１を着脱自在に装着している。
【００２３】
モップ用払拭具１は、装着板５と略同一平面形状のベース布７の表面に多数本の太糸状の払拭体8を植設し、ベース布７の裏面の左右端部にモップ用払拭具１を装着板５に装着するための装着部9,10をそれぞれ形成している。
【００２４】
左側の装着部９は、ベース布７の左側端部にカバー布11をベース布７の外周端縁に沿って縫合することによって袋状に形成して、装着板５の左側端部を内側に収容できるようにしている。この左側の装着部９は、図１に示すように、開口した部分の長さL1が装着部９の内側に収容した装着板５の左側端部の前後幅L2と略同一の長さとなるようにしている。
【００２５】
一方、右側の装着部10は、ベース布７の右側端部にカバー布12をベース布７の外周端縁に沿って縫合することによって袋状に形成して、装着板５の右側端部を内側に収容できるようにするとともに、カバー布12の開口端縁部を袋縫いにして内部に弾性体13（ゴム）を収容し、弾性体13の前後端部をベース布７に縫合することによって、カバー布12の開口部分を伸縮自在に形成している。これにより、モップ用払拭具１は、右側の装着部10の開口を伸縮自在に形成している。
【００２６】
しかも、右側の装着部10は、カバー布12の開口した部分を弾性体13の伸縮力に抗して完全に伸張させた状態にした時の長さL3が装着部10の内側に収容した装着板５の右側端部の外周L4よりも短くなるようにしている。
【００２７】
また、右側の装着部10は、カバー布12の開口した部分を弾性体13の伸縮力によって収縮させた状態にした時の長さL5が装着部10の内側に収容した装着板５の右側端部の前後幅L6よりも長くなるようにしている。
【００２８】
このように、上記モップ用払拭具１では、ベース布７の裏面に装着板５の左右端部を収容する左右一対の袋状の装着部9,10を形成するとともに、右側の装着部10の開口を伸縮自在に形成している。
【００２９】
そのため、上記モップ用払拭具１では、装着板５に装着する際に従来のように結合紐を結びつける必要が無くなり、装着部10の開口を伸張させた状態で装着板５を挿入するだけで装着することができるようになるので、モップ用払拭具１を装着板５に容易かつ迅速に装着することができる。これにより、ビニール手袋や軍手などの手袋をした状態で清掃作業していても、清掃途中で手袋をした状態のままでも装着作業を行うことができるようになる。
【００３０】
しかも、上記モップ用払拭具１では、伸縮自在に形成した装着部10の開口の伸張時の長さが装着部10の内側に収容される装着板５の外周よりも短くしているために、装着部10の開口の伸縮性が損なわれて装着部10の開口が伸張したままの状態となっても装着部10からモップ用払拭具１が脱落してしまうのを防止することができる。
【００３１】
さらに、上記モップ用払拭具１では、伸縮自在に形成した装着部10の開口の収縮時の長さが装着部10の内側に収容される装着板５の幅よりも長くしているために、モップ用払拭具１を装着板５から取外しても装着部10の開口の伸縮性によってモップ用払拭具１が反り返った状態とならず、モップ用払拭具１を正規の平面的な形態に保持することができる。
【００３２】
上記モップ用払拭具１では、右側の装着部10だけを伸縮自在に形成しているが、本考案はこれに限られず、少なくとも左右いずれか一方の装着部9,10を伸縮自在に形成すればよく、また、図２に示すモップ用払拭具14のように、左右の装着部15,16を上記装着部10と同様に形成して、左右両方の装着部15,16を伸縮自在に形成してもよい。
【００３３】
特に、図２に示すように、両方の装着部15,16の開口を伸縮自在に形成し、この伸縮自在に形成した装着部15,16の開口を、伸張時の長さが装着部15,16の内側に収容される装着板17の外周よりも短く、かつ、収縮時の長さが装着部15,16の内側に収容される装着板17の幅よりも長くした場合には、上記モップ用払拭具１による効果に加えて、装着板17にモップ用払拭具14を左右均等の力で良好に装着された状態に保持することができ、より一層脱落を防止することができる。
【図面の簡単な説明】
【００３４】
【図１】本考案に係るモップ用払拭具を示す平面図。
【図２】本考案に係るモップ用払拭具を示す平面図。
【図３】従来のモップ用払拭具を示す平面図。
【符号の説明】
【００３５】
1,14  モップ用払拭具                    ２  モップ本体
３  モップ                              ４  柄
5,17  装着板                            ６  自在継手
７  ベース布                            ８  払拭体
9,10,15,16  装着部                      11  カバー布
12  カバー布                            13  弾性体
101  モップ                             102  柄
103  装着板                             104  自在継手
105  モップ用払拭具                     106  ベース布
107  払拭体                             108,109  装着部
110  カバー布                           111,112  カバー布
113,114  結合紐
【図１】
0003125155.tif 000003
【図２】
0003125155.tif 000004
【図３】
0003125155.tif 000005